(57)【要約】【課題】端末において撮影までの操作を少なくすること。【解決手段】プログラムは、カメラを備える端末のロック状態を解除するための入力操作を待ち受ける処理（Ｓ４０）と、ロック状態の解除前においてカメラに対する撮影指示を待ち受ける処理（Ｓ４０）と、をコンピュータに実行させる。【選択図】図４
2017135430.tif 000002
【特許請求の範囲】
【請求項１】
カメラを備える端末のロック状態を解除するための入力操作を待ち受ける処理と、
前記ロック状態の解除前において前記カメラに対する撮影指示を待ち受ける処理と、
をコンピュータに実行させるプログラム。
【請求項２】
請求項１に記載のプログラムにおいて、
前記ロック状態を解除する入力操作を待ち受ける処理と、
前記カメラに対する撮影指示を待ち受ける処理と、
をコンピュータに同時に実行させるプログラム。
【請求項３】
請求項１に記載のプログラムにおいて、
前記入力操作の待ち受け画面とともに、前記撮影指示を受け付けるためのアイコンを表示する表示処理を、
コンピュータに実行させるプログラム。
【請求項４】
請求項３に記載のプログラムにおいて、
前記表示処理は、前記撮影指示の前に前記カメラで取得されたモニタ用の画像を、さらに表示するプログラム。
【請求項５】
請求項４に記載のプログラムにおいて、
前記表示処理は、前記端末がスリープ状態から復帰する際、前記モニタ用の画像と、前記入力操作の待ち受け画面と、前記アイコンと、を表示するプログラム。
【請求項６】
請求項１〜５のいずれか一項に記載のプログラムにおいて、
前記入力操作に基づいて前記ロック状態を解除する処理と、
前記ロック状態の解除後にアプリケーションを起動させるための操作を受け付ける処理と、
をコンピュータに実行させるプログラム。
【請求項７】
カメラを備える端末のロック状態の解除前に、前記ロック状態を解除するための入力操作と、前記カメラに対する撮影指示を行うための操作と、を実施させるための画面を表示する処理を、
コンピュータに実行させるプログラム。
【請求項８】
請求項７に記載のプログラムにおいて、
前記画面は、前記ロック状態を解除するための入力操作と、前記カメラに対する撮影指示を行うための操作と、のうちユーザが任意に選択した一方の操作を実施させるための画面であるプログラム。
【請求項９】
請求項１〜請求項８のいずれか一項に記載のプログラムを搭載した電子機器。
【発明の詳細な説明】
【技術分野】
【０００１】
本発明は、プログラム、および電子機器に関する。
【背景技術】
【０００２】
モバイルデバイスは、デバイスに対する未承認のアクセスを防止する目的で、ユーザに対してパスコード等の入力を求める機能（ロック機能）を備えるものが多い。しかしながら、カメラ機能を備えるモバイルデバイスでは、ロック解除操作をしている間にシャッターチャンスを逃してしまうおそれがある。そこで、ロック解除なしでカメラ用アプリを起動する（呼び出す）技術が知られている（特許文献１参照）。
【先行技術文献】
【特許文献】
【０００３】
【特許文献１】特表２０１３−５３４１２１号公報
【発明の概要】
【発明が解決しようとする課題】
【０００４】
従来技術では、ロック状態においてカメラボタンが操作されるとカメラ用アプリを起動し、さらにカメラ用アプリのレリーズボタンが操作されると撮影を行うので、撮影までに２回の操作が必要であった。
【課題を解決するための手段】
【０００５】
プログラムは、カメラを備える端末のロック状態を解除するための入力操作を待ち受ける処理と、ロック状態の解除前においてカメラに対する撮影指示を待ち受ける処理と、をコンピュータに実行させる。
プログラムは、カメラを備える端末のロック状態の解除前に、ロック状態を解除するための入力操作と、カメラに対する撮影指示を行うための操作と、を実施させるための画面を表示する処理を、コンピュータに実行させる。
電子機器は、上記プログラムを搭載する。
【発明の効果】
【０００６】
本発明によれば、撮影までの操作を少なくすることができる。
【図面の簡単な説明】
【０００７】
【図１】図１(a)は携帯端末の正面図、図１(b)は背面図である。
【図２】携帯端末の要部構成を例示するブロック図である。
【図３】表示・入力部の表示画面を例示する図である。
【図４】携帯端末の制御部が実行するプログラムの処理の流れを説明するフローチャートである。
【図５】携帯端末へのプログラムの供給を説明する図である。
【発明を実施するための形態】
【０００８】
以下、図面を参照して本発明を実施するための形態について説明する。
図１は、本発明の一実施形態による携帯端末２０の外観を例示する図であり、図１(a)は正面図、図１(b)は背面図である。図１(a)において、携帯端末２０の正面に、カメラ２６と、表示・入力部２５とが設けられる。図１(b)において、携帯端末２０の背面にカメラ２７が設けられる。
【０００９】
図１(a)のカメラ２６は、ユーザ自身を撮影する際や、携帯端末２０でテレビ電話機能を使用する際に、ユーザ撮影用カメラとして使用される。
【００１０】
表示・入力部２５は、表示面２２に画像やアイコン２１などを表示するディスプレイ機能と、ユーザによる接触操作を受け付ける操作部機能とを兼ね備えたタッチパネル液晶ディスプレイによって構成される。
【００１１】
表示・入力部２５は携帯端末２０の筐体正面を覆うように設けられており、表示面２２は操作面を兼ねる。表示・入力部２５は、ユーザの指で表示面２２が接触操作されると、例えば接触部の静電容量の変化に基づいて、接触操作されたこと、および接触位置を示す検出信号を出力する。
【００１２】
携帯端末２０は、表示・入力部２５の表示面２２に表示しているアイコン２１に対応づけられているアプリケーションプログラム（以下、単にアプリと呼ぶ）を起動させることにより、電話機能やメール機能、閲覧機能、カメラ機能など、各アプリによって実現される機能を発揮する。なお、図１(a)に例示する表示面２２の表示内容は、いわゆるホーム画面の例である。図１(b)のカメラ２７は、携帯端末２０でカメラ機能を発揮する際に撮影用カメラとして使用される。
なお、カメラ機能を発揮する際にカメラ２６を使用してもよい。
【００１３】
図２は、図１の携帯端末２０の要部構成を例示するブロック図である。図２において、携帯端末２０は、表示・入力部２５と、制御部３０と、カメラ２６と、カメラ２７と、通信部２８とを有する。
【００１４】
＜表示・入力部＞
表示・入力部２５は、表示面２２と、位置検出部２３とを含む。表示面２２は、上述したように操作面を兼ねる。位置検出部２３は、指による接触位置を示す位置検出信号と、表示制御部３３が有する表示情報（表示・入力部２５の表示面２２のどこに、何を表示させているかを示す情報）とに基づいて、表示・入力部２５の画面上の対象（アイコン２１など）を特定する。
【００１５】
＜制御部＞
制御部３０は、プログラム実行部３２と、表示制御部３３と、通信制御部３４と、不揮発性メモリ３５とを含み、携帯端末２０内の各部の動作を制御する。プログラム実行部３２は、オペレーションシステム（ＯＳ）と呼ばれる基本プログラムを実行した上で、ＯＳ上で動作するアプリを不揮発性メモリ３５から読み込んで実行する。なお、アプリを不揮発性メモリ３５から読み込んで実行することを、単にアプリを起動すると称されることもある。
【００１６】
プログラム実行部３２は通常、表示・入力部２５の位置検出部２３によって特定されたアイコン２１に対応づけられているアプリを実行する。プログラム実行部３２がカメラ用のアプリを実行した場合、カメラ２６または２７を起動させて撮影機能を発揮させる。ユーザは、表示・入力部２５の表示面２２に表示されているアイコン２１に対応する任意のアプリを起動させることが可能である。
【００１７】
表示制御部３３は、表示・入力部２５の表示面２２に、画像やテキスト、アイコン２１などを表示させる。通信制御部３４は、通信部２８を介して行う外部機器との通信を制御する。不揮発性メモリ３５は、上記ＯＳやアプリ、および必要なデータなどを格納する。ユーザは、不揮発性メモリ３５に上記ＯＳ上で動作する任意のアプリを追加、削除することが可能である。
【００１８】
＜通信部＞
通信部２８は、通信制御部３４からの指示に応じて無線通信を行う。通信部２８は、不図示の無線ＬＡＮのアクセスポイントを経由する通信と、不図示の携帯電話回線網を経由する通信とが可能に構成されている。
【００１９】
＜パスコードの入力を求める設定が行われている場合の説明＞
携帯端末２０は、未承認のアクセスを防止する目的で、ユーザに対してパスコードの入力を求める機能（ロック機能）を備える。なお、ロック解除操作としてパスコードの入力は一例であり、特定のパターンを入力するものであってもよい。本実施形態では、携帯端末２０の電源オン操作時やスリープ状態からの復帰操作時にパスコードの入力を求める設定が行われている場合において、パスコードを入力することなしに（すなわちロック解除なしに）カメラ機能を有効にする。すなわち、携帯端末２０は、ロック解除なしに、カメラ用アプリが起動された状態でレリーズすることができる。なお、電源オン操作時やスリープ状態からの復帰操作時においてパスコードの入力を求める機能のオン／オフの設定切替えは、携帯端末２０を設定するための設定用アプリによって行われる。設定用アプリは、例えば設定アイコン２１Ｂ（図１(a)）に対応付けられている。
【００２０】
携帯端末２０は、図３に例示するように、表示・入力部２５の表示面２２にパスコードの入力表示４１およびレリーズアイコン４２の双方を表示させる。図３に示す表示が行われた携帯端末２０は、ロック解除操作の受付と、レリーズ操作の受付とがいずれも可能である。
【００２１】
図３において、ライブビュー画像に重ねてパスコードの入力表示４１およびレリーズアイコン４２が表示されている。ライブビュー画像は、撮影指示（レリーズ操作）前にカメラ２７によって所定間隔（例えば３０フレーム／秒）で繰り返し撮像されるモニタ用画像のことをいう。
【００２２】
携帯端末２０は、ユーザによるパスコード入力前、またはユーザによるパスコード入力途中においてレリーズアイコン４２がタップ操作されると、直ちに撮影処理を行う。すなわち、携帯端末２０は、カメラ用のアプリを起動するためのユーザ操作を必要とせず、自動的にカメラ用のアプリを起動させて撮影待機状態にしておく。ここで、レリーズアイコン４２に対するタップ操作がレリーズ操作である。
【００２３】
＜フローチャートの説明＞
上記携帯端末２０の制御部３０が実行する処理の流れについて、図４に例示するフローチャートを参照して説明する。制御部３０は、携帯端末２０に対する電源オン操作が行われると、電源オン時の所定の処理を行って図４によるプログラムを起動させる。
【００２４】
図４のステップＳ１０において、制御部３０はプログラム実行部３２へ指示を送り、不揮発性メモリ３５に格納されているＯＳを起動させてステップＳ２０へ進む。ステップＳ２０において、制御部３０はプログラム実行部３２へ指示を送り、不揮発性メモリ３５に格納されているロック用アプリを起動させてステップＳ３０へ進む。ロック用アプリは、ユーザに対してパスコードの入力を求め、あらかじめ登録されているパスコードの入力（ロック解除操作）が行われるとロックを解除し、適切にロック解除操作が行われない場合はロック状態を維持するプログラムである。本実施形態では、ロック状態が解除されなければ、ユーザ操作に応じたアプリの起動または実行が禁止される。
なお、ロック用アプリを用いずに、ＯＳによる処理の一部としてユーザに対してパスコードの入力を求めるように構成してもよい。
【００２５】
ステップＳ３０において、制御部３０はプログラム実行部３２へ指示を送り、不揮発性メモリ３５に格納されているカメラ用アプリを起動させてステップＳ４０へ進む。これにより、カメラ用アプリに基づいてカメラ２７が起動されてライブビュー画像の取得を開始する。また、カメラ機能が有効になる。
【００２６】
ステップＳ４０において、制御部３０は表示制御部３３へ指示を送り、ライブビュー画像を表示・入力部２５の表示面２２に逐次表示させる。図３に示す表示面２２には、ユーザの前にいる人物４５および人物４６を含むライブビュー画像が表示されている。制御部３０はさらに、表示制御部３３へ指示を送り、ライブビュー画像に重ねてパスコードの入力表示４１（ロック解除画面）とレリーズアイコン４２とを表示させる。パスコードの入力表示４１はロック用アプリに基づき、レリーズアイコン４２の表示はカメラ用アプリに基づく。ユーザは、ロック解除操作を行うか、またはレリーズ操作を行うかを選択できる。
【００２７】
ステップＳ４５において、制御部３０は、所定時間（例えば５秒）内にユーザによる操作を検出したか否かを判定する。制御部３０は、所定時間内に操作を検出した場合はステップＳ４５を肯定判定してステップＳ５０へ進み、操作を検出することなく所定時間が経過した場合はステップＳ４５を否定判定してステップＳ９０へ進む。
【００２８】
ステップＳ５０において、制御部３０は、検出した操作を判定する。制御部３０は、適切なパスコードが入力された場合にはロック解除操作が行われたと判定し、ステップＳ６０へ進む。なお、プログラム実行部３２は、ステップＳ６０へ進む場合においてカメラ用アプリを終了させる。これにより、カメラ２７が停止してライブビュー画像の表示が終了する。なお、カメラ用アプリを終了させる代わりに、いわゆるバックグラウンド処理として継続しても良い。一方、レリーズアイコン４２がタップ操作された場合、制御部３０は、レリーズ操作が行われたと判定してステップＳ１２０へ進む。制御部３０は、検出した操作が、ロック解除操作およびレリーズ操作の何れでもない場合にはステップ４５へ戻る。
【００２９】
ステップＳ６０において、制御部３０は、ロック状態を解除するとともに表示制御部３３へ指示を送り、図１(a)に例示したホーム画面を表示・入力部２５の表示面２２に表示させる。ステップＳ７０において、制御部３０はプログラム実行部３２に指示を送り、ユーザによるアイコン２１の指定操作を受け付け、ユーザ操作に応じたアプリ（すなわち表示・入力部２５の位置検出部２３によって特定されたアイコン２１に対応づけられているアプリ）を実行させる。
【００３０】
例えばアイコン２１に対応づけられているアプリがカメラ用アプリである場合、プログラム実行部３２は、不揮発性メモリ３５に格納されているカメラ用アプリを起動させる。これにより、カメラ用アプリに基づいてカメラ２７が起動されてライブビュー画像の取得を開始し、カメラ用アプリに基づいてレリーズアイコン４２がライブビュー画像とともに表示・入力部２５の表示面２２に表示される。
【００３１】
ステップＳ８０において、制御部３０は、無操作の状態で所定時間（例えば５秒）が経過したか否かを判定する。制御部３０は、所定時間が経過した場合はステップＳ８０を肯定判定してステップＳ９０へ進み、所定時間が経過していない場合はステップＳ８０を否定判定してステップＳ７０へ戻る。ステップＳ７０へ戻る場合は上記処理を繰り返す。
【００３２】
ステップＳ９０において、制御部３０は、スリープ状態に移行してステップＳ１００へ進む。なお、携帯端末２０がロック状態でない場合は、ロック状態にするとともにスリープ状態に移行する。スリープ状態とは、表示・入力部２５の表示や実行中のアプリを終了するなどした省電力の状態であって、携帯端末２０を使用したいときにすばやく元の状態（スリープ状態に移行する直前の状態）に復帰させることができる状態をいう。
【００３３】
ステップＳ１００において、制御部３０は復帰操作が行われたか否かを判定する。制御部３０は、例えば不図示の電源ボタンの押下など所定の操作がなされた場合に復帰操作が行われたと判定し、ステップＳ１００を肯定判定してステップＳ２０へ戻る。制御部３０は、復帰操作が行われたと判定しない場合は、ステップＳ１００を否定判定してステップＳ１１０へ進む。なお、ステップＳ２０へ戻った際、ロック用アプリが既に起動している場合はステップＳ２０をスキップすることができる。また、ステップＳ２０へ戻った際、ロック用アプリがバックグラウンドで実行（非アクティブ）している場合は、ロック用アプリを起動する処理（ステップＳ２０）は、ロック用アプリをフォアグラウンドに移行する処理（アクティブ化する処理）とすることができる。同様に、ステップＳ２０へ戻った後、カメラ用アプリが既に起動している場合はステップＳ３０をスキップすることができる。また、カメラ用アプリがバックグラウンドで実行（非アクティブ）している場合は、カメラ用アプリを起動する処理（ステップＳ３０）は、カメラ用アプリをフォアグラウンドに移行する処理（アクティブ化する処理）とすることができる。
【００３４】
ステップＳ１１０において、制御部３０は電源オフ操作が行われたか否かを判定する。制御部３０は、例えば電源ボタンの長押しなど所定の操作がなされた場合に電源オフ操作が行われたと判定し、ステップＳ１１０を肯定判定する。そして、電源オフ時の所定の処理を行って図４による処理を終了する。制御部３０は、電源オフ操作が行われたと判定しない場合は、ステップＳ１１０を否定判定してステップＳ１００へ戻る。ステップＳ１００へ戻る場合はスリープ状態を継続する。
【００３５】
ステップＳ１２０において、制御部３０はカメラ２７へ指示を送り、カメラ用アプリに基づいて撮影処理を実行させてステップＳ５０へ戻る。取得した画像データは、不揮発性メモリ３５に格納される。
なお、図４において、ロック用アプリを起動する処理（ステップＳ２０）とカメラ用アプリを起動する処理（ステップＳ３０）の順番は一例であり、処理の順番を入れ替えても良いし、処理が同時に行われても良い。
【００３６】
以上説明した実施形態によれば、次の作用効果が得られる。
（１）携帯端末２０に搭載するプログラムは、ロック用アプリを起動させる処理（Ｓ２０）と、カメラ用アプリを起動させる処理（Ｓ３０）と、をパスコードの入力操作の待ち受け画面を表示する処理（Ｓ４０）の前にプログラム実行部３２に実行させるようにしたので、カメラ用アプリを起動させるための操作（従来技術におけるカメラボタンに対する操作）を不要にできる。このため、ロック状態の解除前において撮影までの操作を少なくできるので、シャッターチャンスをものにしやすくなる。
【００３７】
（２）ロック状態の解除前においてカメラ２７に対する撮影指示（レリーズ操作）を受け付ける処理（Ｓ４０）を、プログラム実行部３２に実行させるようにしたので、ロック解除しなくてもカメラ２７に対する撮影を指示できる。このため、シャッターチャンスをものにしやすくなる。
【００３８】
（３）パスコードの入力操作の待ち受け画面（入力表示４１）、とともに、撮影指示を受け付けるためのレリーズアイコン４２を表示する処理（Ｓ４０）を、プログラム実行部３２に実行させるようにしたので、ユーザは、パスコード入力前、またはパスコード入力途中においても、直ちにレリーズ操作（レリーズアイコン４２に対するタップ操作）を行うことができる。
【００３９】
（４）撮影指示の前にカメラ用アプリに基づいてカメラ２７で取得されたモニタ用のライブビュー画像を、パスコードの入力操作の待ち受け画面（入力表示４１）およびレリーズアイコン４２とともに表示する処理（Ｓ４０）を、プログラム実行部３２に実行させるようにしたので、ユーザは、パスコード入力前、またはパスコード入力途中におけるライブビュー画像からシャッターチャンスをうかがうことができる。
【００４０】
（５）スリープ状態から復帰後に、モニタ用のライブビュー画像と、パスコードの入力操作の待ち受け画面（入力表示４１）と、レリーズアイコン４２と、を表示する処理を、プログラム実行部３２に実行させるので、ユーザは、スリープ状態から復帰すると直ちにパスコードを入力することができる。また、スリープ状態から復帰すると直ちにレリーズ操作をすることができる。すなわち、カメラ撮影を行う状況でない場合（カメラ用アプリ以外のアプリケーションを利用したい場合）は、ユーザは直ちにパスコードの入力操作を行うことができる。カメラ用アプリ以外のアプリケーションを利用したい場合に、直ちにパスコードの入力操作を行うことができないのはユーザにとって煩わしい。一方、カメラ撮影を行いたい場合は、モニタ用のライブビュー画像とレリーズボタンが表示されているため直ちにレリーズ操作を行うことができる。
【００４１】
（６）携帯端末２０に搭載するプログラムは、ロック状態の解除の前に、ロック状態の解除のためのパスコードの入力操作と、カメラ２７に対する撮影指示のための操作と、のうち一方の操作を選択するための画面（図３）を表示する処理（Ｓ４０）を、プログラム実行部３２に実行させるようにしたので、携帯端末２０の使い勝手をよくすることができる。すなわち、カメラ撮影を行う状況でない場合（カメラ用アプリ以外のアプリケーションを利用したい場合）は、ユーザは直ちにパスコードの入力操作を行うことができる。一方、カメラ撮影を行いたい場合は、モニタ用のライブビュー画像とレリーズボタンが表示されているため直ちにレリーズ操作を行うことができる。
【００４２】
次のような変形も本発明の範囲内であり、変形例の一つ、もしくは複数を上述の実施形態と組み合わせることも可能である。
（変形例１）
以上の説明では、図４のステップＳ４０において、表示・入力部２５の表示面２２の略全面にライブビュー画像を表示させ、このライブビュー画像に重ねてパスコードの入力表示４１およびレリーズアイコン４２を表示する例（図３）を説明した。この代わりに、ライブビュー画像を表示面２２の一部に表示させるようにしてもよい。この場合、例えばライブビュー画像を表示面２２の一部にウィンドウ表示させてもよいし、ライブビュー画像とパスコードの入力表示４１とを並べて表示面２２に表示させてもよい。このように、変形例２でも、ロック解除なしにカメラ機能を有効にすることが可能である。
【００４３】
（変形例２）
図４のステップＳ４０において、表示・入力部２５の表示面２２にパスコードの入力表示４１およびレリーズアイコン４２を表示し、表示面２２におけるライブビュー画像の表示を省略してもよい。ユーザは、ライブビュー画像が表示されていなくてもレリーズ操作（レリーズアイコン４２のタップ）をすることができるからである。このように、変形例３でも、ロック解除なしにカメラ機能を有効にすることが可能である。
【００４４】
（変形例３）
携帯端末２０の電源オン操作時やスリープ状態からの復帰操作時にパスコードの入力を求める設定が行われていない場合に、ステップＳ４０において、表示・入力部２５の表示面２２に、スリープ状態からの復帰を指示するためのスライドバーの表示をレリーズアイコン４２とともに表示させるようにしてもよい。この場合には、スライドバーのスライド（フリック）操作によるロック解除操作の受付と、レリーズアイコン４２のタップ操作によるレリーズ操作の受付とがいずれも可能になる。すなわち、変形例４でも、ロック解除なしにカメラ機能を有効にすることが可能である。
【００４５】
（変形例４）
上述した実施形態に係る携帯端末２０は、高機能携帯電話機（いわゆるスマートフォン）に限らず、デジタルカメラまたはタブレット端末などのモバイル機器によって構成してもよい。デジタルカメラやタブレット端末等へのプログラムの供給は、例えば図５に例示するように、プログラムを格納したパーソナルコンピュータ２０５から赤外線通信や近距離無線通信によってタブレット端末２０Ｂ等へ送信することができる。
【００４６】
パーソナルコンピュータ２０５に対するプログラムの供給は、プログラムを格納したＣＤ−ＲＯＭなどの記憶媒体２０４をパーソナルコンピュータ２０５にセットして行ってもよいし、ネットワークなどの通信回線２０１を経由する方法でパーソナルコンピュータ２０５へローディングしてもよい。通信回線２０１を経由する場合は、当該通信回線に接続されたサーバー２０２のストレージ装置２０３などにプログラムを格納しておく。
【００４７】
また、通信回線２０１に接続された無線ＬＡＮのアクセスポイント（不図示）を経由して、タブレット端末２０Ｂへプログラムを直接送信することもできる。さらに、プログラムを格納したメモリカードなどの記憶媒体２０４Ｂをタブレット端末２０Ｂにセットしてもよい。このように、プログラムは記憶媒体や通信回線を介する提供など、種々の形態のコンピュータプログラム製品として供給できる。
【００４８】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００４９】
２０…携帯端末
２０Ｂ…タブレット端末
２１、２１Ｂ…アイコン
２２…表示面
２３…位置検出部
２５…表示・入力部
２６、２７…カメラ
２８…通信部
３０…制御部
３２…プログラム実行部
３３…表示制御部
３５…不揮発性メモリ
【図１】
2017135430.tif 000003
【図２】
2017135430.tif 000004
【図３】
2017135430.tif 000005
【図４】
2017135430.tif 000006
【図５】
2017135430.tif 000007